(57)【要約】【課題】映像のインデキシングの編集作業を効率的に行うこと。【解決手段】経時的に進行する場面単位の複数の画面画像情報と、前記画面画像情報に対応した場面で撮像された複数の動画情報とを対応付けた画像情報を編集しうる情報編集装置であって、前記動画情報の所定の部分の削除作業を行うための映像カット画面と、前記動画情報と前記画面画像情報との対応付けの作業を行うための同期画面と、前記画像情報の表示確認作業を行うためのプレビュー画面とを、利用者の指示により切り替えて表示する表示制御部４８を備えた。この表示制御部４８は、映像カット画面、同期画面およびプレビュー画面の各画面において必要な情報のみを表示する。【選択図】        図３
2005094268.tif 000002
【特許請求の範囲】
【請求項１】
経時的に進行する場面単位の複数の画面画像情報と、前記画面画像情報に対応した場面で撮像された複数の動画情報とを対応付けた画像情報を編集しうる情報編集装置であって、
前記動画情報の所定の部分の削除作業を行うための映像カット画面と、前記動画情報と前記画面画像情報との対応付けの作業を行うための同期画面と、前記画像情報の表示確認作業を行うためのプレビュー画面とを、利用者の指示により切り替えて表示する表示制御手段を備え、
前記表示制御手段は。前記映像カット画面、前記同期画面および前記プレビュー画面の各画面において必要な情報のみを表示することを特徴とする情報編集装置。
【請求項２】
前記表示制御手段は、前記映像カット画面を表示する場合に、入力編集に関連する表示項目と時間表示に関連する表示項目とを同一の表示属性で表示することを特徴とする請求項１に記載の情報編集装置。
【請求項３】
前記表示制御手段は、前記映像カット画面を表示する場合に、前記動画情報に関連する表示項目と前記画面画像情報に関連する表示項目とを同一の表示属性で表示することを特徴とする請求項１または２に記載の情報編集装置。
【請求項４】
前記表示制御手段は、前記同期画面を表示する場合に、前記画面画像情報の切り替えタイミングに関する表示項目を表示することを特徴とする請求項１〜３のいずれか一つに記載の情報編集装置。
【請求項５】
前記表示制御手段は、前記同期画面を表示する場合に、前記動画情報に関連する表示項目と前記画面画像情報に関連する表示項目とを異なる表示属性で表示することを特徴とする請求項１〜４のいずれか一つに記載の情報編集装置。
【請求項６】
前記表示制御手段は、前記プレビュー画面を表示する場合に、前記画面画像情報の切り替えタイミングに関する表示項目を表示することを特徴とする請求項１〜５のいずれか一つに記載の情報編集装置。
【請求項７】
前記表示制御手段は、前記プレビュー画面を表示する場合に、前記画像情報として生成される前記画面画像情報および前記動画情報の範囲に関する表示項目を表示することを特徴とする請求項１〜６のいずれか一つに記載の情報編集装置。
【請求項８】
経時的に進行する場面単位の複数の画面画像情報と、前記画面画像情報に対応した場面で撮像された複数の動画情報とを対応付けた画像情報を編集しうる情報編集方法であって、
前記動画情報の所定の部分の削除作業を行うための映像カット画面と、前記動画情報と前記画面画像情報との対応付けの作業を行うための同期画面と、前記画像情報の表示確認作業を行うためのプレビュー画面とを、利用者の指示により切り替えて表示する表示制御ステップを含み、
前記表示制御ステップは。前記映像カット画面、前記同期画面および前記プレビュー画面の各画面において必要な情報のみを表示することを特徴とする情報編集方法。
【請求項９】
前記表示制御ステップは、前記映像カット画面を表示する場合に、入力編集に関連する表示項目と時間表示に関連する表示項目とを同一の表示属性で表示することを特徴とする請求項８に記載の情報編集方法。
【請求項１０】
前記表示制御ステップは、前記映像カット画面を表示する場合に、前記動画情報に関連する表示項目と前記画面画像情報に関連する表示項目とを同一の表示属性で表示することを特徴とする請求項８または９に記載の情報編集方法。
【請求項１１】
前記表示制御ステップは、前記同期画面を表示する場合に、前記画面画像情報の切り替えタイミングに関する表示項目を表示することを特徴とする請求項８〜１０のいずれか一つに記載の情報編集方法。
【請求項１２】
前記表示制御ステップは、前記同期画面を表示する場合に、前記動画情報に関連する表示項目と前記画面画像情報に関連する表示項目とを異なる表示属性で表示することを特徴とする請求項８〜１１のいずれか一つに記載の情報編集方法。
【請求項１３】
前記表示制御ステップは、前記プレビュー画面を表示する場合に、前記画面画像情報の切り替えタイミングに関する表示項目を表示することを特徴とする請求項８〜１２のいずれか一つに記載の情報編集方法。
【請求項１４】
前記表示制御ステップは、前記プレビュー画面を表示する場合に、前記画像情報として生成される前記画面画像情報および前記動画情報の範囲に関する表示項目を表示することを特徴とする請求項８〜１３のいずれか一つに記載の情報編集方法。
【請求項１５】
請求項８〜１４のいずれか一つに記載の情報編集方法をコンピュータに実行させるプログラム。
【発明の詳細な説明】
【技術分野】
【０００１】
本発明は、経時的に進行する場面単位の複数の画面データと、前記画面データに対応した場面で撮像された動画データとを対応付けて記録された画像情報を編集する情報編集装置、情報編集方法およびその方法をコンピュータに実行させるプログラムに関するものである。
【背景技術】
【０００２】
例えばプレゼンテーションなど経時的に進行する場面単位のスライドなどの複数の画面画像と、この画面画像に対応した場面で撮像された映像の動画情報とを対応付けて記録された画像情報を編集する情報編集装置において、編集の際に、長時間の映像のうちから所望の一部のみを見たいという要望がある。この要望に応えるべく、近年では、所望の部分を容易に検索または頭出しする方法として、インデキシング技術が開発されている。インデキシング技術とは、映像全体を時間軸に沿って複数の部分に分割し、それぞれの部分に対して、検索可能とすべく記述情報を対応付ける技術である。
【０００３】
このようなインデキシング技術としては、スライド等のドキュメントが表示されたタイミングに基づいて、当該ドキュメントに関連する映像を同期させるドキュメント処理方法が知られている（例えば、特許文献１参照）。
【０００４】
このようなインデキシングの編集作業は、通常、撮像した映像の動画情報を分割したり不要な部分を削除する映像カット作業、分割した動画情報と画面画像情報（スライド等）の切り替えタイミングをとる同期作業、および同期作業によってタイミング調整を行うことにより編集された動画情報と画面画像情報とを表示しながら確認を行うプレビュー作業とを行う必要がある。
【０００５】
従来は、これらの作業を行うための専用プログラムを使用して、各作業をこの専用プログラムで提供される同一の画面において行っていた。
【０００６】
【特許文献１】特開２００２−２３２８５８号公報（第５−９頁）
【発明の開示】
【発明が解決しようとする課題】
【０００７】
しかしながら、このような従来技術では、同一の画面の画面において、映像カット作業、同期作業およびプレビュー作業に必要な表示項目が全て表示されてしまうため、各作業が非常に効率が悪いという問題があった。すなわち、映像カット作業、同期作業およびプレビュー作業のそれぞれに必要な表示項目は必ずしもすべて共通しているわけではなく、このため利用者による編集作業が煩雑なものになってしまう。
【０００８】
本発明は、上記に鑑みてなされたものであって、映像のインデキシングの編集作業を効率的に行うことができる情報編集装置、情報編集方法およびその方法をコンピュータに実行させるプログラムを提供することを目的とする。
【課題を解決するための手段】
【０００９】
上述した課題を解決し、目的を達成するために、請求項１にかかる発明は、経時的に進行する場面単位の複数の画面画像情報と、前記画面画像情報に対応した場面で撮像された複数の動画情報とを対応付けた画像情報を編集しうる情報編集装置であって、前記動画情報の所定の部分の削除作業を行うための映像カット画面と、前記動画情報と前記画面画像情報との対応付けの作業を行うための同期画面と、前記画像情報の表示確認作業を行うためのプレビュー画面とを、利用者の指示により切り替えて表示する表示制御手段を備え、前記表示制御手段は。前記映像カット画面、前記同期画面および前記プレビュー画面の各画面において必要な情報のみを表示することを特徴とする。
【００１０】
この請求項１にかかる発明によれば、動画情報の所定の部分の削除作業を行うための映像カット画面と、前記動画情報と前記画面画像情報との対応付けの作業を行うための同期画面と、前記画像情報の表示確認作業を行うためのプレビュー画面とを、利用者の指示により切り替えて表示する表示制御手段を備え、前記表示制御手段は。前記映像カット画面、前記同期画面および前記プレビュー画面の各画面において必要な情報のみを表示することで、各編集作業に必要な表示項目のみ表示されるので、映像のインデキシングの編集作業を効率的に行うことができる。
【００１１】
また、請求項２にかかる発明は、請求項１に記載の情報編集装置において、前記表示制御手段は、前記映像カット画面を表示する場合に、入力編集に関連する表示項目と時間表示に関連する表示項目とを同一の表示属性で表示することを特徴とする。
【００１２】
この請求項２にかかる発明によれば、映像カット画面を表示する場合に、入力編集に関連する表示項目と時間表示に関連する表示項目とを同一の表示属性で表示することで、時間表示に関連する表示項目と入力編集に関連する表示項目との対応付けを容易に把握することができ、映像のインデキシングの編集作業を効率的に行うことができる。
【００１３】
また、請求項３にかかる発明は、請求項１または２に記載の情報編集装置において、前記表示制御手段は、前記映像カット画面を表示する場合に、前記動画情報に関連する表示項目と前記画面画像情報に関連する表示項目とを同一の表示属性で表示することを特徴とする。
【００１４】
この請求項３にかかる発明によれば、映像カット画面を表示する場合に、前記動画情報に関連する表示項目と前記画面画像情報に関連する表示項目とを同一の表示属性で表示することで、映像カット作業において動画情報と画面画像とが同期されて表示されていることを容易に把握することができ、映像のインデキシングの編集作業を効率的に行うことができる。
【００１５】
また、請求項４にかかる発明は、請求項１〜３のいずれか一つに記載の情報編集装置において、前記表示制御手段は、前記同期画面を表示する場合に、前記画面画像情報の切り替えタイミングに関する表示項目を表示することを特徴とする。
【００１６】
この請求項４にかかる発明によれば、同期画面を表示する場合に、前記画面画像情報の切り替えタイミングに関する表示項目を表示することで、同期作業において必要な画面画像情報の切り替えタイミングに関する表示項目が表示されるので、映像のインデキシングの編集作業を効率的に行うことができる。
【００１７】
また、請求項５にかかる発明は、請求項１〜４のいずれか一つに記載の情報編集装置において、前記表示制御手段は、前記同期画面を表示する場合に、前記動画情報に関連する表示項目と前記画面画像情報に関連する表示項目とを異なる表示属性で表示することを特徴とする。
【００１８】
この請求項５にかかる発明によれば、同期画面を表示する場合に、前記動画情報に関連する表示項目と前記画面画像情報に関連する表示項目とを異なる表示属性で表示することで、同期作業において動画情報と画面画像とが非同期されて表示されていることを容易に把握することができ、映像のインデキシングの編集作業を効率的に行うことができる。
【００１９】
また、請求項６にかかる発明は、請求項１〜５のいずれか一つに記載の情報編集装置において、前記表示制御手段は、前記プレビュー画面を表示する場合に、前記画面画像情報の切り替えタイミングに関する表示項目を表示することを特徴とする。
【００２０】
この請求項６にかかる発明によれば、プレビュー画面を表示する場合に、前記画面画像情報の切り替えタイミングに関する表示項目を表示することで、プレビュー作業において必要な画面画像情報の切り替えタイミングに関する表示項目が表示されるので、映像のインデキシングの編集作業を効率的に行うことができる。
【００２１】
また、請求項７にかかる発明は、請求項１〜６のいずれか一つに記載の情報編集装置において、前記表示制御手段は、前記プレビュー画面を表示する場合に、前記画像情報として生成される前記画面画像情報および前記動画情報の範囲に関する表示項目を表示することを特徴とする。
【００２２】
この請求項７にかかる発明によれば、プレビュー画面を表示する場合に、前記画像情報として生成される前記画面画像情報および前記動画情報の範囲に関する表示項目を表示することで、プレビュー作業において必要な画面画像情報および前記動画情報の範囲に関する表示項目を表示されるので、映像のインデキシングの編集作業を効率的に行うことができる。
【００２３】
また、請求項８にかかる発明は、経時的に進行する場面単位の複数の画面画像情報と、前記画面画像情報に対応した場面で撮像された複数の動画情報とを対応付けた画像情報を編集しうる情報編集方法であって、前記動画情報の所定の部分の削除作業を行うための映像カット画面と、前記動画情報と前記画面画像情報との対応付けの作業を行うための同期画面と、前記画像情報の表示確認作業を行うためのプレビュー画面とを、利用者の指示により切り替えて表示する表示制御ステップを含み、前記表示制御ステップは。前記映像カット画面、前記同期画面および前記プレビュー画面の各画面において必要な情報のみを表示することを特徴とする。
【００２４】
この請求項８にかかる発明によれば、動画情報の所定の部分の削除作業を行うための映像カット画面と、前記動画情報と前記画面画像情報との対応付けの作業を行うための同期画面と、前記画像情報の表示確認作業を行うためのプレビュー画面とを、利用者の指示により切り替えて表示する表示制御手段を備え、前記表示制御手段は。前記映像カット画面、前記同期画面および前記プレビュー画面の各画面において必要な情報のみを表示することで、各編集作業に必要な表示項目のみ表示されるので、映像のインデキシングの編集作業を効率的に行うことができる。
【００２５】
また、請求項９にかかる発明は、請求項８に記載の情報編集方法において、前記表示制御ステップは、前記映像カット画面を表示する場合に、入力編集に関連する表示項目と時間表示に関連する表示項目とを同一の表示属性で表示することを特徴とする。
【００２６】
この請求項９にかかる発明によれば、映像カット画面を表示する場合に、入力編集に関連する表示項目と時間表示に関連する表示項目とを同一の表示属性で表示することで、時間表示に関連する表示項目と入力編集に関連する表示項目との対応付けを容易に把握することができ、映像のインデキシングの編集作業を効率的に行うことができる。
【００２７】
また、請求項１０にかかる発明は、請求項８または９に記載の情報編集方法において、前記表示制御ステップは、前記映像カット画面を表示する場合に、前記動画情報に関連する表示項目と前記画面画像情報に関連する表示項目とを同一の表示属性で表示することを特徴とする。
【００２８】
この請求項１０にかかる発明によれば、映像カット画面を表示する場合に、前記動画情報に関連する表示項目と前記画面画像情報に関連する表示項目とを同一の表示属性で表示することで、映像カット作業において動画情報と画面画像とが同期されて表示されていることを容易に把握することができ、映像のインデキシングの編集作業を効率的に行うことができる。
【００２９】
また、請求項１１にかかる発明は、請求項８〜１０のいずれか一つに記載の情報編集方法において、前記表示制御ステップは、前記同期画面を表示する場合に、前記画面画像情報の切り替えタイミングに関する表示項目を表示することを特徴とする。
【００３０】
この請求項１１にかかる発明によれば、同期画面を表示する場合に、前記画面画像情報の切り替えタイミングに関する表示項目を表示することで、同期作業において必要な画面画像情報の切り替えタイミングに関する表示項目が表示されるので、映像のインデキシングの編集作業を効率的に行うことができる。
【００３１】
また、請求項１２にかかる発明は、請求項８〜１１のいずれか一つに記載の情報編集方法において、前記表示制御ステップは、前記同期画面を表示する場合に、前記動画情報に関連する表示項目と前記画面画像情報に関連する表示項目とを異なる表示属性で表示することを特徴とする。
【００３２】
この請求項１２にかかる発明によれば、同期画面を表示する場合に、前記動画情報に関連する表示項目と前記画面画像情報に関連する表示項目とを異なる表示属性で表示することで、同期作業において動画情報と画面画像とが非同期されて表示されていることを容易に把握することができ、映像のインデキシングの編集作業を効率的に行うことができる。
【００３３】
また、請求項１３にかかる発明は、請求項８〜１２のいずれか一つに記載の情報編集方法において、前記表示制御ステップは、前記プレビュー画面を表示する場合に、前記画面画像情報の切り替えタイミングに関する表示項目を表示することを特徴とする。
【００３４】
この請求項１３にかかる発明によれば、プレビュー画面を表示する場合に、前記画面画像情報の切り替えタイミングに関する表示項目を表示することで、プレビュー作業において必要な画面画像情報の切り替えタイミングに関する表示項目が表示されるので、映像のインデキシングの編集作業を効率的に行うことができる。
【００３５】
また、請求項１４にかかる発明は、請求項８〜１３のいずれか一つに記載の情報編集方法において、前記表示制御ステップは、前記プレビュー画面を表示する場合に、前記画像情報として生成される前記画面画像情報および前記動画情報の範囲に関する表示項目を表示することを特徴とする。
【００３６】
この請求項１４にかかる発明によれば、プレビュー画面を表示する場合に、前記画像情報として生成される前記画面画像情報および前記動画情報の範囲に関する表示項目を表示することで、プレビュー作業において必要な画面画像情報および前記動画情報の範囲に関する表示項目を表示されるので、映像のインデキシングの編集作業を効率的に行うことができる。
【００３７】
また、請求項１５にかかる発明は、請求項８〜１４のいずれか一つに記載された方法をコンピュータに実行させるプログラムであるので、請求項８〜１４のいずれか一つの動作をコンピュータによって実行することができる。
【発明の効果】
【００３８】
請求項１にかかる発明によれば、各編集作業に必要な表示項目のみ表示されるので、映像のインデキシングの編集作業を効率的に行うことができるという効果を奏する。
【００３９】
また、請求項２にかかる発明によれば、時間表示に関連する表示項目と入力編集に関連する表示項目との対応付けを容易に把握することができ、映像のインデキシングの編集作業を効率的に行うことができるという効果を奏する。
【００４０】
また、請求項３にかかる発明によれば、映像カット作業において動画情報と画面画像とが同期されて表示されていることを容易に把握することができ、映像のインデキシングの編集作業を効率的に行うことができるという効果を奏する。
【００４１】
また、請求項４にかかる発明によれば、同期作業において必要な画面画像情報の切り替えタイミングに関する表示項目が表示されるので、映像のインデキシングの編集作業を効率的に行うことができるという効果を奏する。
【００４２】
また、請求項５にかかる発明によれば、同期作業において動画情報と画面画像とが非同期されて表示されていることを容易に把握することができ、映像のインデキシングの編集作業を効率的に行うことができるという効果を奏する。
【００４３】
また、請求項６にかかる発明によれば、プレビュー作業において必要な画面画像情報の切り替えタイミングに関する表示項目が表示されるので、映像のインデキシングの編集作業を効率的に行うことができるという効果を奏する。
【００４４】
また、請求項７にかかる発明によれば、プレビュー作業において必要な画面画像情報および前記動画情報の範囲に関する表示項目を表示されるので、映像のインデキシングの編集作業を効率的に行うことができるという効果を奏する。
【００４５】
また、請求項８にかかる発明によれば、各編集作業に必要な表示項目のみ表示されるので、映像のインデキシングの編集作業を効率的に行うことができるという効果を奏する。
【００４６】
また、請求項９にかかる発明によれば、時間表示に関連する表示項目と入力編集に関連する表示項目との対応付けを容易に把握することができ、映像のインデキシングの編集作業を効率的に行うことができるという効果を奏する。
【００４７】
また、請求項１０にかかる発明によれば、映像カット作業において動画情報と画面画像とが同期されて表示されていることを容易に把握することができ、映像のインデキシングの編集作業を効率的に行うことができるという効果を奏する。
【００４８】
また、請求項１１にかかる発明によれば、同期作業において必要な画面画像情報の切り替えタイミングに関する表示項目が表示されるので、映像のインデキシングの編集作業を効率的に行うことができるという効果を奏する。
【００４９】
また、請求項１２にかかる発明によれば、同期作業において動画情報と画面画像とが非同期されて表示されていることを容易に把握することができ、映像のインデキシングの編集作業を効率的に行うことができるという効果を奏する。
【００５０】
また、請求項１３にかかる発明によれば、プレビュー作業において必要な画面画像情報の切り替えタイミングに関する表示項目が表示されるので、映像のインデキシングの編集作業を効率的に行うことができるという効果を奏する。
【００５１】
また、請求項１４にかかる発明によれば、プレビュー作業において必要な画面画像情報および前記動画情報の範囲に関する表示項目を表示されるので、映像のインデキシングの編集作業を効率的に行うことができるという効果を奏する。
【００５２】
また、請求項１５にかかる発明によれば、請求項８〜１４のいずれか一つの動作をコンピュータによって実行することができるという効果を奏する。
【発明を実施するための最良の形態】
【００５３】
以下に添付図面を参照して、この発明にかかる情報編集装置、情報編集方法およびその方法をコンピュータに実行させるプログラムの最良な実施の形態を詳細に説明する。
【００５４】
図１は、本実施の形態にかかる情報編集装置５を含む情報編集システム１の全体構成を示している。
【００５５】
情報編集システム１は、プレゼンテーション資料３１を格納するＰＣ２（プレゼンテーション用ＰＣ）と、このＰＣ２と接続し、プレゼンテーション資料３１を表示するプロジェクター等の投影機３と、投影機３により投影された画像を表示する表示画面３０と、プレゼンテーションの状況を音声と共に動画撮影する音声取り込み機能付きのＤＶカメラ４と、ＤＶカメラ４が取り込んだ音声を含む動画情報（以下単に「動画情報」と称す）を編集する情報編集装置５（キャプチャ用ＰＣ）とを備えている。
【００５６】
ＤＶカメラ４と情報編集装置５は、例えば、ＩＥＥＥ１３９４などのインターフェイスで接続されている。また、ＰＣ２と情報編集装置５は、ＩＥＥＥ８０２．１１ｂなどの通信インターフェイスで接続されている。
【００５７】
ＰＣ２は、単にプレゼンテーション資料３１を格納しており、投影機３と通信可能であればよく、例えば、プレゼンターの所有するＰＣであってもよい。
【００５８】
本実施の形態では、電子化されたプレゼンテーション資料を用いた講演や発表などを映像で録画記録する場合を例として説明する。このようなプレゼンテーションを行なう場合、通常、発表者は、プロジェクター等の投影機に接続したＰＣ２に電子化されたプレゼンテーション資料を格納し、発表時には、このプレゼンテーション資料を投影機で表示するプレゼンテーション・ソフトを操作しながら発表を進めていく。
【００５９】
編集者は、プレゼンターがプレゼンテーション資料３１を表示画面３０に表示させながらプレゼンテーションを行っている様子を、ＤＶカメラ４を用いて撮影する。ここで、編集者とは、情報編集システム１を利用して動画を編集する者のことである。
【００６０】
撮影が終了すると、情報編集装置５は、ＰＣ２から  プレゼンテーション資料３１を取得し、さらに、ＤＶカメラ４からプレゼンテーションの様子を示す動画情報を取得する。そして、情報編集装置５は、動画情報を編集する。すなわち、動画情報にプレゼンテーション資料３１を対応付けた情報ファイルを生成する。
【００６１】
図２は、ＰＣ２および情報編集装置５のハードウエア構成を示すブロック図である。図２に示すように、ＰＣ２，情報編集装置５は、各種演算を行ない各部を集中的に制御するＣＰＵ１１と、各種のＲＯＭ、ＲＡＭからなるメモリ１２とが、バス１３で接続されている。
【００６２】
バス１３には、所定のインターフェイスを介して、ハードディスクなどの磁気記憶装置１４と、入力装置であるマウス１５と、入力装置であるキーボード２１と、ＬＣＤ等の表示装置１６とを備えている。また、光ディスクなどの記憶媒体１７を読み取る記憶媒体読取装置１８が接続可能であり、インターネットなどのネットワーク１９と通信を行なう所定の通信インターフェイス２０が接続されていてもよい。なお、記憶媒体１７としては、ＣＤ，ＤＶＤなどの光ディスク、光磁気ディスク、フレキシブルディスクなどの各種方式のメディアを用いることができる。また、記憶媒体読取装置１８は、具体的には記憶媒体１７の種類に応じて光ディスク装置、光磁気ディスク装置などが用いられる。
【００６３】
ＰＣ２，情報編集装置５のそれぞれには、その磁気記憶装置１４に、この発明のプログラムを実現する情報編集プログラムが記憶されている。この情報編集プログラムは、記憶媒体１７から記憶媒体読取装置１８により読み取るか、あるいは、インターネットなどのネットワーク１９からダウンロードするなどして、磁気記憶装置１４にインストールしたものである。このインストールによりＰＣ２，５は動作可能な状態となる。すなわち、ＣＰＵ１１が情報編集プログラムに基づいて動作することにより、後述の各種モジュールの機能をそれぞれ実現する。なお、情報編集プログラムは、特定のアプリケーションソフトの一部をなすものであってもよい。また、所定のＯＳ上で動作するものであってもよい。また、ＰＣ２の磁気記憶装置１４には、所定のプレゼンテーション・ソフトも記憶されている。
【００６４】
以下では、情報編集プログラムに基づいて情報編集システム１が行なう処理の内容について説明する。
【００６５】
図３は、情報編集プログラム等に基づいて実現される情報編集システム１の機能ブロック図である。
【００６６】
ＰＣ２は、その磁気記憶装置１４に電子化されたプレゼンテーション資料３１が記憶されていて、ユーザはプレゼンテーション・ソフトによりプレゼンテーション資料３１を用いたプレゼンテーションを行なう。ここで、プレゼンテーション資料３１の各スライドは本発明の画面画像に相当する。
【００６７】
ここで、図４を参照しつつ、プレゼンテーション資料３１について説明する。プレゼンテーション資料３１は、プレゼンテーションの際に表示画面３０に表示すべきスライド３１０，３１２，３１４，３１６，３１８，３２０を含んでいる。各スライド３１０，３１２，３１４，３１６，３１８，３２０には、ページ番号が対応付けられており、ページ番号順に表示される。すなわち、プレゼンテーション資料３１を構成するスライドは、当該プレゼンテーション資料３１の作成者が定めた順番に配列されている。図３に示すプレゼンテーション資料３１は、６ページ分のスライドを含んでいる。これらは、プレゼンターからの指示により、１ページ、２ページ、・・・とページ順に表示される。なお、本実施の形態におけるプレゼンテーション資料３１は、パワーポイントＭｉｃｒｏｓｏｆｔ（Ｒ）社製のＰｏｗｅｒ Ｐｏｉｎｔ（Ｒ）のファイルである。
【００６８】
通常、プレゼンテーションを行なう場合のＰＣ２の操作は以下のような手順である。
【００６９】
１．ＰＣ２の起動
２．プレゼンテーション・ソフトの起動
３．発表の開始
４．キーボード２１又はマウス１５の操作による、プレゼンテーション資料３１のページめくり
５．発表の終了
６．プレゼンテーション・ソフトの終了
７．ＰＣ２の終了
ここで、ページめくりとは、表示画面３０に表示させる、プレゼンテーション資料３１を１ページから次のページすなわち２ページに切り替えることである。
【００７０】
以上の操作は、いずれもマウス１５またはキーボード２１における所定の操作に対応付けられている。例えば、ＰＣ２の表示画面に表示されたプレゼンテーション・ソフトのアイコンをマウス１５によりクリックする操作は、プレゼンテーション・ソフトの起動というイベントに対応付けられている。
【００７１】
ＰＣ２は、情報編集プログラムに基づいてイベント送信装置３２としても機能して、イベント発生装置としてのＰＣ２の操作、すなわち、プレゼンテーションの発表時にＤＶカメラ４で撮影する映像内容に関して発生するイベントを的確に記録することで、ＤＶカメラ４で撮影する映像に対するインデキシングを効率良く行なうことを支援する。
【００７２】
前述のような手順でプレゼンテーションの発表が行われる際に、ＰＣ２上で捉えることができる映像内容に関して発生するイベントとしては、例えば以下の１〜３に示すようなものがある。すなわち、ここでは、ＤＶカメラ４の映像内容の被写体の少なくとも一部をなすプレゼンテーション映像の画面の切換えを行なう、利用者によるコンピュータ操作をイベントとしている。また、このイベントに関する情報であるイベント情報として、イベントの種類とその発生時刻も正確に記録する必要がある。
【００７３】
１．プレゼンテーション・ソフトの起動、終了
２．キーボード２１の操作（どのキーが押されたか）
３．マウス１５の操作（ドラッグ、クリック）
そこで、ＰＣ２は、イベントキャプチャ部３３により、これらのイベントの種類とその発生時刻をイベント情報として取得する。そして、イベント記録部３４は、このイベント情報のログを記録し、ＨＤＤ３５にイベントファイル５０として保存する。イベントファイル５０は、利用者によって、情報編集装置５に移動され、情報編集装置５のＨＤＤ４９に保存される。また、プレゼンテーション資料３１も利用者によって、情報編集装置５のＨＤＤ４９に移動される。
【００７４】
撮影機器制御部３９は、イベントファイルの内容情報に基づいてＤＶカメラ４を制御する。映像キャプチャ部４０は、ＤＶカメラ４で撮影した画像をキャプチャする。動画情報管理部４１は、ＤＶカメラ４で撮影した画像の動画情報を記憶して管理する。また、イベント記録部３８はＤＶカメラ４の制御のイベント情報をイベントファイルに記録する。
【００７５】
イベント解釈部４２は、イベント情報の内容を読み込んでイベントの解釈を行うものである。情報ファイル生成部４５は、イベント解釈部４２によって解釈されたイベント情報の内容を参照し、プレゼンテーション資料３１及び動画情報、および表示制御部４８で表示された編集画面から入力制御部４７によって入力された内容に基づいて、動画情報と画面画像とを対応付けた情報ファイルを生成するものである。
【００７６】
表示制御部４８は、動画情報と画面画像との対応付け作業を行う編集画面をディスプレイ装置等の表示装置１６に表示するものである。入力制御部４７は、編集画面からの利用者の入力を受け付けるものである。
【００７７】
次に、このように構成された本実施の形態の情報編集装置５によるインデキシング作業における編集画面の表示処理について説明する。図５は、表示制御部４８による編集画面の表示処理の手順を示すフローチャートである。
【００７８】
前提として、図６〜８に示すいずれかの編集画面が表示装置１６に表示されている状態を考える。この編集画面には、映像カットタブ、同期タブ、プレビュータブが表示されている。
【００７９】
表示制御部４８は、いずれかのタブを利用者がクリックしてタブイベントを受信したときに、かかるイベントからいずれのタブが操作されたかを判断する（ステップＳ５０１）。
【００８０】
映像タブが操作されたと判断した場合には、現在の編集画面の表示を図６に示す映像カット編集画面に切り替え表示する（ステップＳ５０２）。そして、このとき、入力編集項目の周囲の色とタイムラインの表示色と同一色に設定する（ステップＳ５０３）。すなわち、図６に示すように、セッションの入力編集項目６０５の表示色とタイムラインのセッション範囲の表示色を同一色に設定する。また、プレゼンテーションの入力編集項目６０６の表示色とタイムラインのプレゼンテーション範囲の表示色を同一色に設定する。
【００８１】
また、表示制御部４８は、動画情報領域６０１の周囲の表示色と、画面画像情報領域６０２の周囲の表示色を同一色に設定する（ステップＳ５０４）。これは、映像カット作業では、動画情報と再生やシークと画面画像情報の切り替えが同期して表示される必要があるため、かかる同期していることを示すために同一色としている。
【００８２】
また、映像カット作業の場合には、タイムライン上にカットされずに実際にコンテンツ化される範囲が示されていればよいため、このように映像カット編集画面には、画面画像情報の切り替えタイミングに関する表示項目は必要ないため表示しないこととしている。
【００８３】
ステップＳ５０１において、同期タブイベントを受信した場合には、図７に示す同期編集画面を表示する（ステップＳ５０５）。この同期作業では、画面画像情報の切り替えタイミングに関する表示項目が必要となるため、かかる表示項目（スライド調整、Time Offset）を表示する（ステップＳ５０６）。また、同期作業では、動画情報と再生やシークと画面画像情報の切り替えが非同期に行われる必要があるため、動画情報と画面画像情報が非同期に表示されている旨を示すため、動画情報領域６０１の周囲の表示色と、画面画像情報領域６０２の周囲の表示色を異なる色に設定する（ステップＳ５０７）。
【００８４】
ステップＳ５０１において、プレビュータブイベントを受信した場合には、図８に示すプレビュー編集画面を表示する（ステップＳ５０８）。このプレビュー作業では、画面画像情報の切り替えタイミングに関する表示項目が必要となるため、かかる表示項目（スライド移動、Seek Preroll）を表示する（ステップＳ５０９）。また、プレビュー作業では、生成される情報ファイルのコンテンツ化される範囲を示す必要があるため、タイムライン上にコンテンツ化される範囲を表示する（ステップＳ５１０）。
【００８５】
そして、このとき、入力編集項目の周囲の色とタイムラインの表示色と同一色に設定する（ステップＳ５０３）。すなわち、図６に示すように、セッションの入力編集項目６０５の表示色とタイムラインのセッション範囲の表示色を同一色に設定する。また、プレゼンテーションの入力編集項目６０６の表示色とタイムラインのプレゼンテーション範囲の表示色を同一色に設定する。
【００８６】
このように本実施の形態の情報編集装置５では、動画情報の所定の部分の削除作業を行うための映像カット画面と、動画情報と画面画像情報との対応付けの作業を行うための同期画面と、画像情報の表示確認作業を行うためのプレビュー画面とを利用者の指示により切り替えて表示し、映像カット画面、同期画面およびプレビュー画面の各画面において必要な情報のみを表示することで、各編集作業に必要な表示項目のみ表示されるので、映像のインデキシングの編集作業を効率的に行うことができる。
【産業上の利用可能性】
【００８７】
本発明は、プレゼンテーションなどのをＤＶカメラで撮影して動画情報とするとともに、プレゼンテーション資料を画面画像情報にして両者を対応付けて編集する情報編集装置、情報編集方法、情報編集プログラムに適している。
【図面の簡単な説明】
【００８８】
【図１】情報編集システム１の全体構成を示す図である。
【図２】情報編集装置５およびＰＣ２のハードウェア構成を示すブロック図である。
【図３】情報編集装置５とＰＣ２の機能構成を示すブロック図である。
【図４】プレゼンテーション資料３１を模式的に示す説明図である。
【図５】編集画面の表示処理の手順を示すフローチャートである。
【図６】映像カット編集画面の一例を示す説明図である。
【図７】同期編集画面の一例を示す説明図である。
【図８】プレビュー編集画面の一例を示す説明図である。
【符号の説明】
【００８９】
１  情報編集システム
２  ＰＣ（プレゼンテーション装置）
３  投影機
４  ＤＶカメラ
５  情報編集装置（キャプチャＰＣ）
１５  マウス
２１  キーボード
３１  プレゼンテーション資料
３３  イベントキャプチャ部
３４  イベント記録部
３６  イベント受信部
３７  イベント制御部
３８  イベント記録部
３９  撮影機器制御部
４０  映像キャプチャ部
４１  動画情報管理部
４２  イベント解釈部
４４  イベント送信部
４５  情報ファイル生成部
４６  イベント編集部
４７  入力制御部
４８  表示制御部
１１  ＣＰＵ
１２  メモリ
１３  バス
１４  ＨＤＤ
１５  マウス
１６  表示装置
１７  記憶媒体
１８  記憶媒体読取装置
１９  ネットワーク
２０  通信Ｉ／Ｆ
３１０，３１２，３１４，３１６，３１８，３２０  画面画像
【図１】
2005094268.tif 000003
【図２】
2005094268.tif 000004
【図３】
2005094268.tif 000005
【図４】
2005094268.tif 000006
【図５】
2005094268.tif 000007
【図６】
2005094268.tif 000008
【図７】
2005094268.tif 000009
【図８】
2005094268.tif 000010